(57)【特許請求の範囲】
【請求項１】
着物用帯のお太鼓結びを容易に美しく形成する方法であって、
お太鼓を形成するための帯のたれ（１）を縦に置き、着装具（２）の開口に、帯の手（３）の方から上記帯のたれ（１）の位置まで帯を通し、この位置において、当該位置から帯の手（３）の方向に延びる部分が横置きとなるように帯を三角にたたみ、上記位置から胴部に巻く部分として測った位置で帯を身体側に折り返して二枚重ねにし、この折り返した部分から更に手（３）の方向に延びる部分を、着装具（２）の上部の枕に渡らせ、当該枕に取り付けられたゴム紐（４）で結び、固定することを特徴とする作って装着する帯結びの方法
【発明の詳細な説明】
【技術分野】
【０００１】  本発明は、着物の着付けに際しての、着物用帯の帯結びを容易、迅速に、且つ美しく作る方法で、詳しくは着物用帯のお太鼓を目の前で形成する為、大きさ、形が美しく、腕に負担をかけない、作って装着する帯結びの方法に関するものである。
【背景技術】
【０００２】  従来、着物用帯結びは、胴体に二度巻きして、背部で一結びして締めてゆく手順の為、帯の結び目から帯が傷ついて、帯の耐用年数を縮めていた。【０００３】  着物用帯結びのお太鼓結びは、帯結びの基本であるにもかかわらず、一人で帯結びをするには、背部に手探りでお太鼓を形成するため、大変困難である。【０００４】  また、背部でお太鼓を形成する為、完成するまで、腕を上げたままで作業するので、腕に負担がかかる。【０００５】  手探りで作業する為に、美しいお太鼓が作りにくいし、形が歪む、大きさが一定に出来ない等、多くの問題があり、もっと容易にお太鼓結びが出来る方法の出現が望まれている。従来の帯結びは、非特許文献１に開示されているものがある。
【非特許文献１】  石田節子著、「はじめてのきものの着付けと帯結び」  株式会社ナツメ社出版、２００５年７月２０日発行、Ｐ６５〜６９
【発明の開示】
【発明が解決しようとする課題】
【０００６】  帯結びをするには、背部で作業する為に、腕が上がらない、背部に手が回らないなど、特に年配の女性には大変困難です。また背部で作業する為お太鼓の大きさが一定にならず、形も歪み完成までに時間がかかる。本発明は、以上の問題点を解決することを課題とする。
【課題を解決するための手段】
【０００７】
前述の課題を解決するために、本発明は目の前で、着物用帯のお太鼓結びを容易に美しく形成する方法であって、お太鼓を形成するための帯のたれ（１）を縦に置き着装具（２）の開口に、帯の手（３）の方から上記帯のたれ（１）の位置まで帯を通し、この位置において、当該位置から帯の手（３）の方向に延びる部分が横置きとなるように帯を三角にたたみ、上記位置から胴部に巻く部分として測った位置で帯を身体側に折り返して二枚重ねにし、この折り返した部分から更に手（３）の方向に延びる部分を、着装具（２）の上部の枕に渡らせ、当該枕に取り付けられたゴム紐（４）で結び、固定するものである。そして本発明は目の前で着物用帯（３０）を着装具（２）に手（３）を渡し、ゴム紐（４）で留めて渡した手（３）のゆるみ分を小型和装クリップ（５）で留めてお太鼓の形を作り、手（３）をお太鼓の間に入れ4ヶ所をクリップでとめ、帯締めで背部に装着することを手段の内容とする。
【０００８】    これにより、目の前で作る為にお太鼓部の形、大きさを一定に設定する事が出来、また背部に腕を回す事が無いので、腕に負担がかからない。本発明は以上の構成により成る、美しい形を作って装着する帯結びの方法である。
【発明の効果】
【０００９】
本発明により、帯を傷めることが少なく、お太鼓の形が美しく、腕に負担をかけず容易に帯結びが出来る。また、全て作ってから装着するため、着物の着崩れをすることが無く、短時間で結ぶことが出来る、作って装着する帯結びの方法である。
【発明を実施する為の最良の形態】
【００１０】
図１は本着装具（２）の請求項１の実施例を示すものである。帯のたれ（１）を左側に置き、帯の手（３）を右側に置き、帯のたれ（１）の方から着装具（２）の約3・5倍測り取り、クリップ（８）で留め、留めた位置から胴部一巻き分プラス5ｃｍ位の位置にクリップ（９）で留めておく。
【００１１】
帯のたれ（１）を縦に置き直し、帯の手（３）の方から着装具（２）をクリップ（８）の位置まで通し、着装具（２）の開口部で帯を三角にたたみ、着装具（２）の下枕と帯（３０）を大型和装クリップ（１０）で留める。枕の下にゴム紐（４）を置く。
【００１２】
胴部に巻く部分として測って留めておいたクリップ（９）の位置で、帯（３０）を外側（身体側）に折り返し二枚重ねとし、着装具（２）から１０ｃｍ位の位置の重ねた帯の上部に、クリップ（１１）で留め、同位置の下部にクリップ（１２）で留める。クリップ（９）をはずす。
【００１３】
図１で示すように、上記にて折り返した部分から、更に、手（３）の方向に延びる部分を、着装具（２）の枕に渡らせ、セットしておいたゴム紐（４）で結び、留める。クリップ（８）をはずす。
【００１４】
図２で示すように、着装具（２）の枕に渡らせた手（３）と着装具（２）と胴に巻く帯、全てを一直線にするために、図４に示すように、ゴム紐（４）の左下にゆるみ分をたたんで、小型和装クリップ（５）で留める。ゴム紐（４）の付いている着装具（２）の枕に、帯揚げ（６）をかける。
【００１５】
帯のたれ（１）をおろして着装具（２）の下枕から８ｃｍ位たれ（１）の先を出し、お太鼓を形成する。余り分のたれ（１）は、お太鼓（２０）の間に入れ、形成したお太鼓（２０）の上一枚目と二枚目の帯の間に手（３）を入れ帯締め（７）を通す。お太鼓（２０）と手（３）を一緒にクリップ（１３）（１４）（１５）（１６）で4ヶ所を留める。
【００１６】    作ったお太鼓（２０）を背部に装着し、着装具（２）に付いている紐を体の前で結び、帯揚げ（６）を体の前で仮結びをする。
【００１７】
帯の二枚重ねにした部分を胴部に巻き、胴部に巻いた帯を、着装具（２）の下枕と帯（３０）を押さえていた大型和装クリップ（１０）の位置で一緒に留め直す。
【００１８】    巻いた帯がゆるまない様に帯の上部を仮紐で押さえ、セットしておいた帯締め（７）を帯の中心で結び、仮紐を引き抜く。
【００１９】
帯に付いているクリップ（１３）（１４）（１５）（１６）をはずす。帯揚げ（６）を整え、帯の中心で結ぶ。大型和装クリップ（１０）をはずす。本発明は以上の構成により成る、作って装着する帯結びの方法である。
【産業上の利用可能性】
【００２０】    本発明に係る、作って装着する帯結びは、着物で仕事をする人達に、容易で美しく短時間で着装する事が出来、大変効率的である。また着物初心者でも楽に着装する事が出来るし、着付け教室、着物展示会のデモンストレーション等で、社会に広めてゆく。着物離れを阻止する為にも、また日本の民族衣装を継承する為にも産業上の利用可能性を有する。
【図面の簡単な説明】
【００２１】
【図１】本発明の方法の要部拡大の正面図
【図２】本発明の方法の要部拡大の正面図
【図３】本発明の方法のお太鼓斜視図
【図４】本発明の方法の要部拡大の正面図
【符号の説明】
【００２４】
（３０）    着物用帯
（２０）    お太鼓
（１）      帯たれ
（２）      着装具
（３）      手  
（４）      ゴム紐
（５）      小型和装クリップ
（６）      帯揚げ
（７）      帯締め
（８）      クリップ
（９）      クリップ
（１０）    大型和装クリップ
（１１）    クリップ
（１２）    クリップ
（１３）    クリップ
（１４）    クリップ
（１５）    クリップ
（１６）    クリップ

【図１】
0004209914.tif 000002
【図２】
0004209914.tif 000003
【図３】
0004209914.tif 000004
【図４】
0004209914.tif 000005